【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】デジタルオシロスコープ上に情報を提示する方法であって、 信号の１次測定値を作り出す工程と、 １次測定値からのデータを時間の関数として表示する工程と、 １次測定データからパラメータを取得する工程と、 取得パラメータを１次測定値からのデータと共に時間の関数として表示する工程とを備えた、デジタルオシロスコープ上に情報を提示する方法。
【請求項２】請求項１において、前記信号の１次測定値を作り出す工程が、一定時間毎に電圧信号を検出する、デジタルオシロスコープ上に情報を提示する方法。
【請求項３】請求項２において、前記１次測定からのデータを表示する工程と前記取得パラメータを表示する工程とが、検出電圧および取得パラメータを水平時間軸に沿ってプロットする、デジタルオシロスコープ上に情報を提示する方法。
【請求項４】請求項１において、さらに、共通の時間軸を有する共通の表示画面上に、前記取得パラメータおよび前記１次測定データを表示する工程を備えた、デジタルオシロスコープ上に情報を提示する方法。
【請求項５】請求項１において、前記パラメータを取得する工程が、前記１次測定値からのデータをしきい値と比較する、デジタルオシロスコープ上に情報を提示する方法。
【請求項６】請求項５において、前記パラメータを取得する工程が、さらに、１次測定データがしきい値を越える時間を求める、デジタルオシロスコープ上に情報を提示する方法。
【請求項７】請求項５において、前記パラメータを取得する工程が、さらに、１次測定データがしきい値未満となる時間を求める、デジタルオシロスコープ上に情報を提示する方法。
【請求項８】請求項１において、前記パラメータを取得する工程が、 前記信号のサイクルを特定し、 このサイクルに対するパラメータを計算する、デジタルオシロスコープ上に情報を提示する方法。
【請求項９】請求項８において、前記パラメータを取得する工程が、さらに、各サイクル毎の最大値と最小値との間の時間を求める、デジタルオシロスコープ上に情報を提示する方法。
【請求項１０】請求項８において、前記パラメータを取得する工程が、さらに、各サイクル毎の最小値と先行する最小値との間の時間を求める、デジタルオシロスコープ上に情報を提示する方法。
【請求項１１】請求項８において、前記パラメータを取得する工程が、さらに、各サイクル毎のローカル最小値の時間を求める、デジタルオシロスコープ上に情報を提示する方法。
【請求項１２】請求項８において、前記パラメータを取得する工程が、さらに、各サイクル毎のローカル最大値の時間を求める、デジタルオシロスコープ上に情報を提示する方法。
【請求項１３】請求項８において、前記パラメータを取得する工程が、さらに、各サイクル毎のローカル最大値とローカル最小値との間の時間を求める、デジタルオシロスコープ上に情報を提示する方法。
【請求項１４】請求項８において、前記パラメータを取得する工程が、さらに、各サイクル毎の周期を求める、デジタルオシロスコープ上に情報を提示する方法。
【請求項１５】請求項８において、前記パラメータを取得する工程が、さらに、各サイクル毎の周波数を求める、デジタルオシロスコープ上に情報を提示する方法。
【請求項１６】請求項８において、前記パラメータを取得する工程が、さらに、各サイクル毎の立ち上がり時間を求める、デジタルオシロスコープ上に情報を提示する方法。
【請求項１７】請求項８において、前記パラメータを取得する工程が、さらに、各サイクル毎の立ち下がり時間を求める、デジタルオシロスコープ上に情報を提示する方法。
【請求項１８】請求項８において、前記パラメータを取得する工程が、さらに、各サイクル毎のオーバーシュートを求める、デジタルオシロスコープ上に情報を提示する方法。
【請求項１９】請求項８において、前記パラメータを取得する工程が、さらに、各サイクル毎のプレシュートを求める、デジタルオシロスコープ上に情報を提示する方法。
【請求項２０】請求項８において、前記パラメータを取得する工程が、さらに、サイクル周期の隣り合うサイクルに対する相対的な変化を求める、デジタルオシロスコープ上に情報を提示する方法。
【請求項２１】請求項８において、前記パラメータを取得する工程が、さらに、サイクルのパルス幅の隣り合うサイクルに対する相対的な変化を求める、デジタルオシロスコープ上に情報を提示する方法。
【請求項２２】請求項１において、前記パラメータを取得する工程が、 前記信号のサイクルを特定し、 各サイクルの前記１次測定値をしきい値と比較する、デジタルオシロスコープ上に情報を提示する方法。
【請求項２３】請求項２２において、前記パラメータを取得する工程が、さらに、サイクルの振幅におけるピークピーク変化を求める、デジタルオシロスコープ上に情報を提示する方法。
【請求項２４】請求項２２において、前記パラメータを取得する工程が、さらに、各サイクル毎の衝撃係数を求める、デジタルオシロスコープ上に情報を提示する方法。
【請求項２５】請求項２２において、前記パラメータを取得する工程が、さらに、衝撃係数の隣り合うサイクルに対する相対的な変化を求める、デジタルオシロスコープ上に情報を提示する方法。
【請求項２６】請求項１において、前記パラメータを取得する工程が、 前記信号のサイクルを特定し、 前記１次測定データを絶対時間基準と比較する、デジタルオシロスコープ上に情報を提示する方法。
【請求項２７】請求項２６において、前記パラメータを取得する工程が、さらに、信号サイクルと絶対時間基準との位相差を求める、デジタルオシロスコープ上に情報を提示する方法。
【請求項２８】請求項２６において、前記パラメータを取得する工程が、さらに、信号サイクルと絶対時間基準とのタイミング誤差を求める、デジタルオシロスコープ上に情報を提示する方法。
【請求項２９】請求項１において、前記パラメータを取得する工程が、前記信号の１次測定値を基準クロックと比較する、デジタルオシロスコープ上に情報を提示する方法。
【請求項３０】請求項２９において、前記パラメータを取得する工程が、さらに、基準クロックと信号サイクルとの位相差を求める、デジタルオシロスコープ上に情報を提示する方法。
【請求項３１】請求項２９において、前記パラメータを取得する工程が、さらに、基準クロックと測定信号サイクルとのタイミング誤差を求める、デジタルオシロスコープ上に情報を提示する方法。
【請求項３２】デジタルオシロスコープを動作させる方法であって、 所定の時間間隔で繰り返し信号をサンプリングしてデジタル化する工程と、 デジタル化により生成されたデータを記憶する工程と、 １次測定データからパラメータを時間の関数として取得する工程と、 取得パラメータを１次測値と共に時間の関数として表示する工程とを備えたデジタルオシロスコープの運転方法。
【請求項３３】請求項３２において、前記信号をサンプリングしてデジタル化する工程が、電圧信号を検出する、デジタルオシロスコープの運転方法。
【請求項３４】請求項３３において、前記取得パラメータを表示する工程が、表示画面上の水平時間軸に沿って前記取得パラメータをプロットする、デジタルオシロスコープの運転方法。
【請求項３５】請求項３４において、さらに、共通の時間軸を用いて共通の表示画面上に、前記取得パラメータをデジタル化データと共に表示する、デジタルオシロスコープの運転方法。
【請求項３６】信号の１次測定を実行し、測定値を示すデータを生成する、少なくとも一つのデジタル化チャネルと、 １次測定データから、パラメータを時間の関数として取得するデータ処理装置と、 １次測定値からのデータおよび取得パラメータが時間の関数としてプロットされる表示画面とを備えたデジタルオシロスコープ。
【請求項３７】請求項３６において、さらに、少なくとも４つのデジタル化チャネルを備えたデジタルオシロスコープ。
【請求項３８】請求項３６において、前記少なくとも一つのデジタル化チャネルが、 信号をフリーズするサンプル・ホールド回路と、 このサンプル・ホールド回路からの信号をデジタル化するアナログ・デジタルコンバータと、 アナログ・デジタルコンバータにより生成されたデジタルデータを記憶する波形メモリとを備えたデジタルオシロスコープ。
【請求項３９】請求項３８において、さらに、ローカルメモリを備え、前記プ処理装置が前記波形メモリからこのローカルメモリにデータを伝送するデジタルオシロスコープ。
【請求項４０】請求項３９において、前記データ処理装置が、計算後に前記ローカルメモリに前記取得パラメータを記憶するデジタルオシロスコープ。
【請求項４１】請求項４０において、前記ローカルメモリが記憶場所のアレーを備え、この記憶場所のデータは暫定的に構成され、前記取得パラメータおよび前記１次測定値からのデータは類似する暫定的な構成を持つアレーに記憶されるデジタルオシロスコープ。
【請求項４２】請求項４１において、前記取得パラメータを保持するアレーは、表示画面上でのスケーリング操作を容易にするように、埋め込まれているデジタルオシロスコープ。
【請求項４３】請求項３６において、前記データ処理装置は、表示を制御することにより、１次測定値からのデータおよび取得パラメータを水平時間軸に沿ってプロットするデジタルオシロスコープ。
【請求項４４】請求項３６において、前記データ処理装置は、表示を制御することにより、取得パラメータおよび１次測定値からのデータを共通の時間軸を用いてプロットするデジタルオシロスコープ。
【請求項４５】デジタルオシロスコープ上に情報を提示する方法であって、 信号の１次測定値を作り出す工程と、 １次測定値からのデータを時間の関数として表示する工程と、 １次測定データから各種パラメータの複数アレーを取得する工程と、 各種の取得パラメータを１次測定値からのデータと共に同時に時間の関数として表示する工程とを備えた、デジタルオシロスコープ上に情報を提示する方法。
【請求項４６】デジタルオシロスコープ上に情報を提示する方法であって、 信号の１次測定値を作り出す工程と、 １次測定値からのデータを時間の関数として表示する工程と、 １次測定データからパラメータを取得する工程と、 取得パラメータを１次測定値からのデータと共に時間の関数として表示する工程と、 パラメータの表示を観察した後に、新しい判定基準に基づいてパラメータを再計算する工程とを備えた、デジタルオシロスコープ上に情報を提示する方法。
【請求項４７】請求項１または４５において、前記１次測定およびその取得パラメータが共通の表示画面上に表示される、デジタルオシロスコープ上に情報を提示する方法。
【請求項４８】請求項３２において、前記１次測定および取得パラメータが共通の表示画面上に表示される、デジタルオシロスコープの運転方法。
【請求項４９】請求項３６において、前記１次測定および取得パラメータが共通の表示画面上に表示される、デジタルオシロスコープ。
【請求項５０】請求項１または４５において、前記デジタルオシロスコープが、デジタルストレージオシロスコープである、デジタルオシロスコープ上に情報を提示する方法。
【請求項５１】請求項３２において、前記デジタルオシロスコープが、デジタルストレージオシロスコープである、デジタルオシロスコープ上に情報を提示する方法。
【請求項５２】請求項３６において、前記デジタルオシロスコープが、デジタルストレージオシロスコープである、デジタルオシロスコープ上に情報を提示する方法。